(57)【要約】【課題】強電界下で通信品質が低下している場合に、迅速なハンドオフを実行可能とするハンドオフ制御方法およびハンドオフ制御装置を提供する。【解決手段】送受信手段が通信中の基地局および近傍の他の基地局から受信した信号に基づいて、携帯端末の周囲の通信環境で期待できる通信品質を評価する環境評価手順と、環境評価手順による評価結果に基づいて、強電界下での品質低下の発生を検出する検出手順と、強電界下での品質低下の発生が検出されたときに、ハンドオフを発動するか否かを判断するための指標となる値を修正する修正手順と、修正された指標に基づいて、ハンドオフを実行すべきか否かを判定する判定手順と、判定結果に応じて、通信中の基地局に対してハンドオフ要求を送信する要求手順と、修正手順によって修正された指標を含む品質情報を定期的に基地局に送信する報告手順とを備える。【選択図】　　　図１
2004140674.tif 000002
【特許請求の範囲】
【請求項１】
通信中の基地局から別の基地局へのハンドオフを制御する携帯端末におけるハンドオフ制御方法において、
前記携帯端末に備えられた送受信手段が前記通信中の基地局および近傍の他の基地局から受信した信号に基づいて、前記携帯端末の周囲の通信環境で期待できる通信品質を示す指標を評価する環境評価手順と、
前記環境評価手順による評価結果に基づいて、前記通信中の基地局からの受信信号の受信レベルが所定の値以上であり、かつ、通信品質が所定のレベルよりも低下したことが示されたときに、強電界下での品質低下の発生を検出する検出手順と、
前記検出手順において、強電界下での品質低下の発生が検出されたときに、ハンドオフを発動するか否かを判断するための指標となる値に、ハンドオフを発動させる側にずらすための修正値を加える修正手順と、
前記修正された指標が移動局主導のハンドオフ条件を満たすか否かに基づいて、ハンドオフを実行すべきか否かを判定する判定手順と、
前記判定手順においてハンドオフを実行すべきであると判定されたときに、前記通信中の基地局に対してハンドオフ要求を送信する要求手順と、
前記修正手順によって修正された指標を含む品質情報を定期的に基地局に送信する報告手順と
を備えたことを特徴とするハンドオフ制御方法。
【請求項２】
携帯端末に備えられ、通信中の基地局から別の基地局へのハンドオフを制御するハンドオフ制御装置において、
前記携帯端末に備えられた送受信手段が前記通信中の基地局から受信した信号の受信レベルおよび前記通信中の基地局との間の通信品質を測定し、前記通信環境の良否を示す指標として出力する測定手段と、
前記測定手段による測定結果によって、前記通信中の基地局からの信号の受信レベルが所定の値以上であり、かつ、通信品質が所定のレベルよりも低下したことが示されたときに、強電界下での品質低下の発生を検出する検出手段と、
前記強電界下での品質低下の発生が検出されたときに、前記測定手段による測定結果に含まれる少なくとも１つの値に、ハンドオフを発動させる側にずらすための修正値を加え、ハンドオフを発動するか否かを判断するための指標のとして修正した値を含む前記測定結果を出力する修正手段と、
前記前記通信環境の良否を示す指標の少なくとも一つに基づいて、ハンドオフを実行すべきか否かを判定する判定手段と、
前記判定手段においてハンドオフを実行すべきであると判定されたときに、前記通信中の基地局に対してハンドオフ要求を作成し、前記送受信手段を介して送信する要求手段と、
前記前記通信環境の良否を示す指標の少なくとも一つを含む品質情報を作成し、前記送受信手段を介して定期的に基地局に送信する報告手段と
を備えたことを特徴とするハンドオフ制御装置。
【請求項３】
請求項２に記載のハンドオフ制御装置において、
測定手段は、通信中の基地局からの信号の受信レベルに加えて、近傍の他の基地局からの信号の受信レベルを測定するレベル測定手段を備えた構成であり、
修正手段は、前記レベル測定手段によって測定された各基地局に対応する受信レベルの値に対して、前記通信中の基地局に対応する受信レベルの値と近傍の他の基地局に対応する受信レベルの値との差を小さくする修正値を加えるレベル修正手段を備えた構成である
ことを特徴とするハンドオフ制御装置。
【請求項４】
請求項２に記載のハンドオフ制御装置において、
測定手段は、通信中の基地局からの信号に基づいて、復調される情報の誤り率を推定する誤り推定手段を備えた構成であり、
修正手段は、前記誤り推定手段によって推定された誤り率に対して、誤り率を増大させる修正値を加える誤り率修正手段を備えた構成である
ことを特徴とするハンドオフ制御装置。
【請求項５】
携帯端末に備えられ、通信中の基地局から別の基地局へのハンドオフを制御するハンドオフ制御装置において、
前記携帯端末に備えられた送受信手段が前記通信中の基地局から受信した信号の受信レベルおよび前記通信中の基地局との間の通信品質を測定し、通信環境の良否を示す指標として出力する測定手段と、
前記測定手段による測定結果によって、前記通信中の基地局からの信号の受信レベルが所定の値以上であり、かつ、通信品質が所定のレベルよりも低下したことが示されたときに、強電界下での品質低下の発生を検出する検出手段と、
検出手段によって強電界下での通信品質の低下が検出されたときに、通信中の基地局からの受信信号に関する増幅率を縮小させる増幅率制御手段と、
前記通信環境の良否を示す指標の少なくとも一つに基づいて、ハンドオフを実行すべきか否かを判定する判定手段と、
前記判定手段においてハンドオフを実行すべきであると判定されたときに、前記通信中の基地局に対してハンドオフ要求を作成し、前記送受信手段を介して送信する要求手段と、
前記前記通信環境の良否を示す指標の少なくとも一つを含む品質情報を作成し、前記送受信手段を介して定期的に基地局に送信する報告手段と
を備えたことを特徴とするハンドオフ制御装置。
【発明の詳細な説明】
【０００１】
【発明の属する技術分野】
本発明は、携帯電話機による移動通信システムにおいて、個々の携帯端末の制御を基地局から別基地局に引き渡す際のハンドオフ制御方法および装置に関し、特に、電界強度が大きい環境におけるハンドオフ制御技術に関する。
【０００２】
【従来の技術】
図７に、従来の一般的な携帯電話機の概略構成を示す。
図７に示した携帯電話機は、マイクロプロセッサ４０１と、操作部４０２、表示部４０３および音響回路４０４からなるユーザインタフェース部と、変復調部４０５と、無線送受信部４０６および品質監視部４０７とを備えている。
【０００３】
図７に示した無線送受信部４０６が通信中の基地局から受信した信号は、変復調部４０５において復調され、マイクロプロセッサ４０１を介してユーザインタフェース部に渡される。また、無線送受信部４０６によって受信された全ての信号は、品質監視部４０７にも渡されている。
この品質監視部４０７において、受信レベル測定部４１１は、通信中の基地局からの電波の受信レベルとともに、他の基地局（例えば、隣接する６つのゾーンに対応する基地局）がそれぞれ発信しているブロードキャストチャネル（ＢＣＣＨ）の受信レベルも測定し、測定結果を品質情報作成部４１２に報告する。また、この品質監視部４０７において、誤り率推定部４１３は、変復調部４０５によって復調されたベースバンド信号を受け取り、このベースバンド信号に基づいて、データ符号配列に依存しない方式に従って誤り率を推定し、推定結果を誤り率の測定結果として品質情報作成部４１２に報告する。この誤り率の測定結果と上述した受信レベルの測定結果とに基づいて、品質情報作成部４１２は、現在通信中の基地局との通信に関する品質を評価するための品質情報を作成し、この品質情報をマイクロプロセッサ４０１に報告する。このとき、品質情報作成部４１２は、通信中の基地局からの電波の受信レベルＳｏと他の基地局からのＢＣＣＨの受信レベルＳｎｉ（ｉ＝１，・・・，６）に所定の定数αを加えた値とを比較し、この比較結果および各測定値を品質情報に含める。また、品質情報作成部４１２は、誤り率推定部４１３から受け取った誤り率の測定値に対応する品質レベルを、図８に示すような品質レベル換算表から検索し、この品質レベルを品質情報に含める。
【０００４】
マイクロプロセッサ４０１は、品質監視部４０７から通知される品質情報を含めた定期報告を定期的に作成し、変復調部４０５および送受信部４０６を介して基地局に送出する。また、上述したようにして通知された品質情報による通信中の基地局に対応する受信レベルが著しく低下したことが示されたときに、マイクロプロセッサ４０１は、ハンドオフ制御が必要である旨を示すハンドオフ要求を作成し、変復調部４０５および送受信部４０６を介して基地局に送出する。
【０００５】
一方、基地局は、携帯端末からハンドオフ要求を受け取ったときと、携帯端末から受け取った定期報告によって通信品質が一定レベルより低下していることが示されたときに、規定の手順に従って別の適切な基地局へのハンドオフ処理を実行する。
携帯端末から受け取った定期報告に含まれている情報に基づいて、基地局がハンドオフ処理の必要性を判断する場合に、基地局は、例えば、０．５秒間隔で受信している測定値を数秒分にわたって平均化し、この平均値を判断の指標としている。このことは、移動通信システムが限られた通信事業者によって寡占状態であった従来においては、一時的な通信状態の悪化に応じて頻繁にハンドオフ処理が行われてしまうことを防ぐ機能を果たしていた（例えば、非特許文献１参照）。
【０００６】
【非特許文献１】
Ｊ．　Ｄｕｎｌｏｐ　ｅｔ．　ａｌ．　”Ｄｉｇｉｔａｌ　Ｍｏｂｉｌｅ　Ｃｏｍｍｕｎｉｃａｔｉｏｎｓ　ａｎｄ　ｔｈｅ　ＴＥＴＲＡ　Ｓｙｓｔｅｍ”ＪＯＨＮ　ＷＩＬＬＥＹ　＆　ＳＯＮＳ，ＬＴＤ　１９９９　（ｐ．８４−８５，　Ｆｉｇｕｒｅ　２．１６）
【０００７】
【発明が解決しようとする課題】
従来のハンドオフ制御は、基本的に、携帯端末を管理下に置いている基地局からの電波による電界強度が低下したときに、その携帯端末がその基地局から離れつつあり、別の基地局に近づきつつあると判断して、その別の基地局に制御を渡すものである。したがって、基地局から携帯端末に向かう下りの通信品質は、携帯端末と基地局との距離の増大に応じて緩やかに低下することを前提としていた。
【０００８】
ところで、近年では、携帯電話機をはじめとするさまざまな移動通信サービスが普及しており、各通信事業者はそれぞれの通信方式による通信品質の確保のために、それぞれ独立に基地局などの設置を進めている。このため、多数の通信事業者による移動通信サービスが重複して提供されている地域では、これらの移動通信サービスに利用される様々な周波数帯の電波が飛び交っている。
【０００９】
上述したような地域においては、携帯端末が置かれている環境において、この携帯端末を管理している基地局からの電波による電界強度が十分であるにもかかわらず、十分な通信品質を得られない場合があることが報告されている。
この現象の原因は、まだ特定されていないが、上述したような環境では、他の移動通信システムの電波による電界が、自システムで利用している電波の送受信に影響を与えている可能性は十分に考えられる。
【００１０】
そして、このような地域においては、通信品質が極めて急速に低下するので、従来のハンドオフ制御では、適切な基地局へのハンドオフが間に合わず、通話が切断されてしまう場合もあった。これは、基地局主導でハンドオフ制御を行う場合に、上述したように、通信品質に関する測定値を数秒間にわたって平均化した値を判断指標としているために、基地局側でハンドオフが必要であると判断されたときには、すでに通信品質が著しく劣化してしまっているためである。
【００１１】
また、他の移動通信システムの電波による電界の影響の大きさは、当然ながら、自システムの基地局からの距離とは無関係であるので、他の移動通信システムの電波による電界の影響によって通信品質が低下しているときに、移動局主導のハンドオフが発動される条件が満たされることは極めてまれである。
本発明は、通信中の基地局からの電波による電界が十分な強度を持っているにもかかわらず通信品質が低下している場合に、迅速なハンドオフを実行可能とするハンドオフ制御方法および装置を提供することを目的とする。
【００１２】
【課題を解決するための手段】
図１に、本発明にかかわるハンドオフ制御方法の原理を示す。
請求項１の発明は、通信中の基地局から別の基地局へのハンドオフを制御する携帯端末におけるハンドオフ制御方法において、携帯端末に備えられた送受信手段が通信中の基地局および近傍の他の基地局から受信した信号に基づいて、携帯端末の周囲の通信環境で期待できる通信品質を示す指標を評価する環境評価手順と、環境評価手順による評価結果に基づいて、通信中の基地局からの受信信号の受信レベルが所定の値以上であり、かつ、通信品質が所定のレベルよりも低下したことが示されたときに、強電界下での品質低下の発生を検出する検出手順と、検出手順において、強電界下での品質低下の発生が検出されたときに、ハンドオフを発動するか否かを判断するための指標となる値に、ハンドオフを発動させる側にずらすための修正値を加える修正手順と、修正された指標が移動局主導のハンドオフ条件を満たすか否かに基づいて、ハンドオフを実行すべきか否かを判定する判定手順と、判定手順においてハンドオフを実行すべきであると判定されたときに、通信中の基地局に対してハンドオフ要求を送信する要求手順と、修正手順によって修正された指標を含む品質情報を定期的に基地局に送信する報告手順とを備えたことを特徴とする。
【００１３】
請求項１の発明では、検出手順における検出結果に応じて修正手順がハンドオフを発動するか否かを判断するための指標に修正値を加え、修正された指標を判定手順および報告手順の処理に供することにより、例えば、他の移動通信システムの電波による影響で通信品質が低下した場合に、移動局主導のハンドオフおよび基地局主導のハンドオフを促進することができる。これにより、通信中の基地局との間の通信品質が著しく低下する前に、別の適切な基地局へのハンドオフを実行することができるので、携帯端末における通話状態を維持することができる。
【００１４】
なぜなら、修正手順において、ハンドオフに関する判断指標を、ハンドオフを発動させる側に修正することにより、従来よりも通信品質の劣化の進行が少ない段階で、判定手順においてハンドオフが必要であると判定させること、あるいは、通信中の基地局にハンドオフが必要であると判定させるに足る品質情報を報告させることができるからである。
【００１５】
図２に、本発明にかかわるハンドオフ制御装置の原理ブロック図を示す。
請求項２の発明は、携帯端末に備えられ、通信中の基地局から別の基地局へのハンドオフを制御するハンドオフ制御装置において、携帯端末に備えられた送受信手段１０１が通信中の基地局から受信した信号の受信レベルおよび通信中の基地局との間の通信品質を測定し、通信環境の良否を示す指標として出力する測定手段１１１と、測定手段１１１による測定結果によって、通信中の基地局からの信号の受信レベルが所定の値以上であり、かつ、通信品質が所定のレベルよりも低下したことが示されたときに、強電界下での品質低下の発生を検出する検出手段１１２と、強電界下での品質低下の発生が検出されたときに、測定手段１１１による測定結果に含まれる少なくとも１つの値に、ハンドオフを発動させる側にずらすための修正値を加え、ハンドオフを発動するか否かを判断するための指標のとして修正した値を含む測定結果を出力する修正手段１１３と、通信環境の良否を示す指標の少なくとも一つに基づいて、ハンドオフを実行すべきか否かを判定する判定手段１１４と、判定手段１１４においてハンドオフを実行すべきであると判定されたときに、通信中の基地局に対してハンドオフ要求を作成し、送受信手段１０１を介して送信する要求手段１１５と、通信環境の良否を示す指標の少なくとも一つを含む品質情報を作成し、送受信手段１０１を介して定期的に基地局に送信する報告手段１１６とを備えたことを特徴とする。
【００１６】
請求項２の発明では、検出手段１１２による検出結果に応じて修正手段１１３がハンドオフを発動するか否かを判断するための指標の値に修正値を加え、修正された指標を判定手段１１４および報告手段１１６の処理に供する。このように、ハンドオフに関する判断指標を、修正手段１１３によって、ハンドオフを発動させる側に意図的に修正することにより、従来よりも通信品質の劣化の進行が少ない段階で、判定手段１１４によってハンドオフが必要であると判定させること、あるいは、報告手段１１６によって、通信中の基地局にハンドオフが必要であると判定させるに足る品質情報を報告させることができる。これにより、例えば、他の移動通信システムの電波による影響で通信品質が低下した場合に、移動局主導のハンドオフおよび基地局主導のハンドオフを促進することができるので、携帯端末における通話状態を維持することができる。
【００１７】
請求項３の発明は、請求項２に記載のハンドオフ制御装置において、測定手段１１１は、通信中の基地局からの信号の受信レベルに加えて、近傍の他の基地局からの信号の受信レベルを測定するレベル測定手段１２１を備えた構成であり、修正手段１１３は、レベル測定手段１２１によって測定された各基地局に対応する受信レベルの値に対して、通信中の基地局に対応する受信レベルの値と近傍の他の基地局に対応する受信レベルの値との差を小さくする修正値を加えるレベル修正手段１２２を備えた構成であることを特徴とする。
【００１８】
請求項３の発明では、レベル測定手段１２１によって得られた各基地局に対応する受信レベルを、レベル修正手段１２２によって修正することにより、実際に得られた測定結果の代わりに、通信中の基地局と他の基地局とに対応する受信レベルの差を縮小した値を移動局主導のハンドオフの発動を判定するための指標として判定手段１１４に渡すことができる。これにより、強電界下において通信品質が低下する現象が発生したときには、移動局主導のハンドオフが発動される条件を実質的に緩めて、要求手段１１５によるハンドオフ要求の送信を促進することができる。このようにすれば、本来ならば移動局主導のハンドオフ要求が発生しないような地点、つまり、通信中の基地局に対応するゾーンの境界から離れた地点を含む範囲にまで、移動局主導のハンドオフを発動する条件が成立する範囲を広げることができる。
【００１９】
請求項４の発明は、請求項２に記載のハンドオフ制御装置において、測定手段１１１は、通信中の基地局からの信号に基づいて、復調される情報の誤り率を推定する誤り推定手段１２３を備えた構成であり、修正手段１１３は、誤り推定手段１２３によって推定された誤り率に対して、誤り率を増大させる修正値を加える誤り率修正手段１２４を備えた構成であることを特徴とする。
【００２０】
請求項４の発明では、誤り推定手段１２３によって得られた誤り率を誤り率修正手段１２４によって修正することにより、実際の測定結果の代わりに、故意に増大させた誤り率を、報告手段１１６を介して通信中の基地局に報告することができる。このようにして、強電界下において通信品質が低下する現象が発生したときに、実際よりも通信品質が悪い旨の品質情報を通信中の基地局に報告することにより、基地局主導のハンドオフの発動を促進する指標を基地局側に蓄積させることができる。これにより、通信中の基地局との間の実際の通信品質が極度に悪化する前に、基地局主導のハンドオフを発動させることが可能となる。
【００２１】
請求項５の発明は、携帯端末に備えられ、通信中の基地局から別の基地局へのハンドオフを制御するハンドオフ制御装置において、携帯端末に備えられた送受信手段１０１が通信中の基地局から受信した信号の受信レベルおよび通信中の基地局との間の通信品質を測定し、通信環境の良否を示す指標として出力する測定手段１１１と、測定手段１１１による測定結果によって、通信中の基地局からの信号の受信レベルが所定の値以上であり、かつ、通信品質が所定のレベルよりも低下したことが示されたときに、強電界下での品質低下の発生を検出する検出手段１１２と、検出手段１１２によって強電界下での通信品質の低下が検出されたときに、通信中の基地局からの受信信号に関する増幅率を縮小させる増幅率制御手段１３１と、通信環境の良否を示す指標の少なくとも一つに基づいて、ハンドオフを実行すべきか否かを判定する判定手段１１４と、判定手段１１４においてハンドオフを実行すべきであると判定されたときに、通信中の基地局に対してハンドオフ要求を作成し、送受信手段１０１を介して送信する要求手段１１５と、通信環境の良否を示す指標の少なくとも一つを含む品質情報を作成し、送受信手段１０１を介して定期的に基地局に送信する報告手段１１６とを備えたことを特徴とする。
【００２２】
請求項５の発明では、増幅率制御手段１３１が通信中の基地局からの受信信号に関する増幅率を操作することにより、測定手段１１１によって測定される通信中の基地局からの信号に対応する受信レベルおよび通信品質の値が通信環境の悪化を示す方向に変化する。したがって、これらの測定値をそのまま移動局主導あるいは基地局主導のハンドオフを発動させるか否かを判断するための指標として用いることにより、ハンドオフの発動を促進することができる。
【００２３】
【発明の実施の形態】
以下、図面に基づいて、本発明の実施形態について詳細に説明する。
図３に、本発明にかかわるハンドオフ制御装置の実施形態を示す。
なお、図３に示した構成要素のうち、図７に示した各部と同等のものについては、図７に示した符号を付して示し、その説明を省略する。
【００２４】
図３に示した品質監視部２１０は、図７に示した品質監視部４０７に備えられた各部に加えて、劣化検出部２１１および品質情報調整部２１２を備えている。この劣化検出部２１１は、品質情報作成部４１２によって作成された品質情報に基づいて、強電界下での品質低下が発生しているか否かを判定し、この判定結果に応じて品質情報調整部２１２および増幅率制御部２１３にそれぞれ適切な指示を入力する。品質情報調整部２１２は、劣化検出部２１１からの指示に応じて、この劣化検出部２１１を介して受け取った品質情報に適切な調整値を加え、マイクロプロセッサ４０１に通知する。
【００２５】
また、図３に示したハンドオフ制御装置において、増幅率制御部２１３は、マイクロプロセッサ４０１からの指示に応じて、受信信号の増幅率を縮小する旨の制御信号を生成し、無線送受信部４０６に備えられた増幅器（図示せず）に入力する。
ここで、図３に示した各部と図２に示した各手段との対応関係について説明する。
【００２６】
図３に示した無線送受信部４０６および変復調部４０５は、図２に示した送受信手段１０１に相当する。また、図３に示した受信レベル測定部４１１および誤り率推定部４１３は、それぞれ図２に示した測定手段１１１の構成要素であるレベル測定手段１２１および誤り推定手段１２３に相当する。また、図３に示した劣化検出部２１１は、図２に示した検出手段１１２に相当し、図３に示した品質情報調整部２１２は、図２に示した修正手段１１３に相当する。一方、図２に示した判定手段１１４、要求手段１１５および報告手段１１６の機能は、図３に示した品質情報調整部２１２からの受け取った品質情報に基づいて、マイクロプロセッサ４０１が従来と同様の処理を実行することによって実現される。
【００２７】
以下、図３に示した携帯端末におけるハンドオフ制御動作について説明する。
図４および図５に、ハンドオフ制御動作を説明する流れ図を示す。
まず、図４に示したステップ３０１〜ステップ３０３において、図３に示した品質監視部２１０の誤り率推定部４１３、受信レベル測定部４１１は、それぞれ通信中の基地局からの受信信号に関する誤り率および通信中の基地局および他の基地局からの信号の受信レベルを測定する。
【００２８】
次いで、品質情報作成部４１２は、図４に示したステップ３０１〜ステップ３０３において得られた受信レベルおよび誤り率に基づいて、従来と同様にして品質情報を作成する（ステップ３０４）。
このようにして作成された品質情報に含まれている品質レベルが１よりも小さい場合に、図３に示した劣化検出部２１１は、通信品質の低下はないと判断する（図４のステップ３０５の否定判定）。
【００２９】
この場合に、図３に示した品質情報調整部２１２は、劣化検出部２１１を介して受け取った品質情報をそのままマイクロプロセッサ４０１に報告し、これに応じて、マイクロプロセッサ４０１は、従来と同様にして、この品質情報を含む無線状態報告１信号を作成し、変復調部４０５および無線送受信部４０６を介して通信中の基地局に送出する（図４のステップ３０６）。
【００３０】
その後、通信中の基地局から新たなチャネルを指定するチャネル指定信号を受信した場合に、図３に示したマイクロプロセッサ４０１は、図４のステップ３０７の肯定判定としてステップ３０８に進み、ハンドオフを実行してハンドオフ制御処理を終了する。
一方、ステップ３０７の否定判定の場合には、ステップ３０１に戻って、品質監視部２１０による品質監視処理が続けられる。
【００３１】
さて、図３に示した品質情報作成部４１２によって作成された品質情報に含まれる品質レベルが１以上である場合に、劣化検出部２１１は、通信中の基地局との間の通信品質が低下したと判断する（図３のステップ３０５の肯定判定）。
この場合に、処理は、図４および図５において結合子１で示したように、図５に示したステップ３０９に進み、まず、図３に示した劣化検出部２１１は、品質情報に含まれている通信中の基地局に対応する受信レベルが所定の閾値（例えば、５０ｄＢ）を超えているか否かを判定する。通信中の基地局に対応する受信レベルが上述した閾値を超えている場合、すなわち、十分に強い電界を示している場合に、劣化検出部２１１は、強電界下における通信品質の低下が発生したと判断する（図５のステップ３０９の肯定判定）。
【００３２】
この場合に、品質情報調整部２１２は、受信レベルおよび品質レベルに関する調整値にそれぞれ適切な値を設定し（ステップ３１０）、これらの調整値を用いて、劣化検出部２１１を介して受け取った品質情報に含まれている他の基地局に対応する受信レベルおよび品質レベルを調整する（ステップ３１１）。例えば、品質情報調整部２１２は、受信レベルに関する調整値δに上述した定数αの半分程度の値（数ｄＢ）を設定するとともに、品質レベル１，２について、図６に示すように、それぞれ品質レベル調整値「１」を設定し、これらの調整値を品質情報に含まれている受信レベルおよび品質レベルにそれぞれ加算することによってこれらの値を調整する。
【００３３】
次に、マイクロプロセッサ４０１は、このようにして調整された品質情報に基づいて、移動局主導のハンドオフ条件が成立するか否かを判定する（ステップ３１２）。
このとき、マイクロプロセッサ４０１は、通信中の基地局に対応する受信レベルと他の基地局それぞれに対応する調整された受信レベルとを比較し、いずれかの差が上述した定数αよりも小さい場合に、マイクロプロセッサ４０１は、移動局主導のハンドオフ条件が成立したと判断する（ステップ３１２の肯定判定）。上述したように、近傍の基地局に対応する受信レベルを調整すれば、マイクロプロセッサ４０１がハンドオフの要否を判定するためのハンドオフ条件が実質的に緩められるので、早い段階でハンドオフ条件が成立する。そして、ステップ３１２の肯定判定の場合に、マイクロプロセッサ４０１は、ハンドオフ要求を含む無線状態報告２を作成して、この無線状態報告２を変復調部４０５および無線送受信部４０６を介して送出する（ステップ３１３）。つまり、ステップ３１１において、近傍の基地局に対応する受信レベルと通信中の基地局に対応する受信レベルとの差を縮小する調整を行うことにより、携帯端末側からのハンドオフ要求を促進することができる。また、このようにしてハンドオフ要求が送出された後、処理は、図４に示した結合子Ｂを介してステップ３０７に進み、基地局からのチャネル指定信号の入力に応じて、ハンドオフを実行し、ハンドオフ制御処理を終了する。
【００３４】
一方、移動局主導のハンドオフ条件が成立しない場合（ステップ３１２の否定判定）には、マイクロプロセッサ４０１からの指示に応じて、増幅率制御部２１３により、送受信部４０６のゲインが縮小される（ステップ３１４）。その後、処理は、図４に示した結合子Ａを介してステップ３０６に進み、マイクロプロセッサ４０１により、調整された品質情報を含む無線状態報告１が作成され、変復調部４０５および無線送受信部４０６を介して通信中の基地局に送出される。
【００３５】
この場合に、ステップ３０６において通信中の基地局に送出される品質情報は、上述したようにして調整された品質レベルを含んでいる。つまり、この場合には、通信中の基地局には、実際の推定誤り率に対応する品質レベルよりも１段階悪い品質レベルが報告されることになる。したがって、基地局においてこれらの品質レベルを積算していくことにより、実際の誤り率に対応する品質レベルを報告した場合に比べて、格段に早い段階で基地局主導のハンドオフが必要と判断されることが期待できる。
【００３６】
また、上述したステップ３１４において、無線送受信部４０６のゲインが下げられているので、当然ながら、通信チャネルに対する妨害波となっていると考えられる他の移動通信システムの無線信号によるノイズも低減され、通信品質への影響も低減することも期待できる。
さて、上述したようにして無線送受信部４０６のゲインを下げていったために、通信中の基地局に対応する受信レベルが５０ｄＢ以下となった場合（ステップ３０９の否定判定）に、マイクロプロセッサ４０１は、品質情報調整部２１２に各調整値に初期値「０」を設定する旨を支持する（ステップ３１５）とともに、増幅率制御部２１３に、無線送受信部４０６のゲインを初期値に戻す旨を指示する（ステップ３１６）。その後、マイクロプロセッサ４０１は、従来と同様に、ハンドオフ条件が成立するか否かを判定し（ステップ３１７）、成立する場合には、ステップ３１３と同様にしてハンドオフ要求を送出する（ステップ３１８）。一方、ハンドオフ条件が不成立の場合（ステップ３１７の否定判定）に、処理は、そのまま図４に示した結合子Ａからステップ３０６に進む。
【００３７】
上述したように、図３に示したハンドオフ制御装置を備えた携帯端末では、強電界下における通信品質の低下が発生している場合に、移動局主導のハンドオフ操作および基地局主導のハンドオフ操作の双方を促進し、通信品質が極端に悪化する前に、ハンドオフを実行することが可能である。これにより、異なる移動通信システムに属する基地局が混在している環境においても、自システムによる移動通信を維持することができる。
【００３８】
なお、上述したステップ３１１のように、近傍の基地局に対応する受信レベルを調整する代わりに、ハンドオフ条件に用いられる定数αの値を調整することにより、同等の効果を得ることができる。また、逆に、通信中の基地局に対応する受信レベルを低減する調整を適用してもよい。
【００３９】
【発明の効果】
以上に説明したように、請求項１にかかわるハンドオフ制御方法あるいは請求項２にかかわるハンドオフ制御装置によれば、強電界下での品質低下が発生したときに、通信環境を評価するための指標の値を意図的に修正することにより、移動局主導のハンドオフおよび基地局主導のハンドオフを促進することができる。これにより、通信中の基地局との間の通信品質が著しく低下する前に、別の適切な基地局へのハンドオフを実行することができるので、携帯端末における通話状態を維持することができる。
【００４０】
特に、請求項３の発明によれば、通信中の基地局および近傍の他の基地局に対応する受信レベルを修正することにより、移動局主導のハンドオフを発動させるための条件を緩め、移動局主導のハンドオフを促進することができる。また、請求項４の発明を適用し、通信中の基地局に報告する品質レベルを修正することにより、他の移動通信システムの電波による抑圧などによって通信品質が著しく低下する前に、通信品質が低下している兆候を通信中の基地局に報告しこれらの情報蓄積させておくことができるので、基地局主導のハンドオフを促進することができる。
【００４１】
また、請求項５の発明を適用すれば、強電化以下での品質低下が発生したときに、一時的に送受信手段の増幅率を下げて、他の移動通信システムの電波による通信品質への影響を低減することができる。
【図面の簡単な説明】
【図１】本発明にかかわるハンドオフ制御方法の原理である。
【図２】本発明にかかわるハンドオフ制御装置の原理ブロック図である。
【図３】本発明にかかわるハンドオフ制御装置の実施形態を示す図である。
【図４】ハンドオフ制御動作を説明する流れ図である。
【図５】ハンドオフ制御動作を説明する流れ図である。
【図６】品質レベル調整値を説明する図である。
【図７】従来の一般的な携帯電話機の概略構成を示す図である。
【図８】品質レベル換算表の例を示す図である。
【符号の説明】
１０１　送受信手段
１１１　測定手段
１１２　検出手段
１１３　修正手段
１１４　判定手段
１１５　要求手段
１１６　報告手段
１２１　レベル測定手段
１２２　レベル修正手段
１２３　誤り推定手段
１２４　誤り率修正手段
１３１　増幅率制御手段
２１０、４０７　品質監視部
２１１　劣化検出部
２１２　品質情報調整部
２１３　増幅率制御部
４０１　マイクロプロセッサ
４０２　操作部
４０３　表示部
４０４　音響回路
４０５　変復調部
４０６　無線送受信部
４１１　受信レベル測定部
４１２　品質情報作成部
４１３　誤り率推定部
【図１】
2004140674.tif 000003
【図２】
2004140674.tif 000004
【図３】
2004140674.tif 000005
【図４】
2004140674.tif 000006
【図５】
2004140674.tif 000007
【図６】
2004140674.tif 000008
【図７】
2004140674.tif 000009
【図８】
2004140674.tif 000010